(57)【要約】【課題】本発明は、プローブの種類を識別するレーザ装置を提供する。【解決手段】プローブを挿入する接続部１の外周方向の異なる位置にリミットスイッチ２，３が備えられている。プローブに取り付けられている固定ねじの外径の違いによってリミットスイッチ２，３のＯＮ／ＯＦＦ状態が異なり、その信号をＣＰＵ４に入力し、ＣＰＵ４は記憶装置５のデータテーブルに記憶されている情報から接続されたプローブを識別する。そして、プローブの種類やそのプローブによるレーザ出力あるいはそのプローブに適したレーザ出力条件等を表示部６に表示する。【選択図】  図１
2004275270.tif 000002
【特許請求の範囲】
【請求項１】
光ファイバを組み込んだプローブを接続して使用するレーザ装置において、前記プローブが接続されたことを検出する検出部と、接続された前記プローブの種類を識別する識別部を有するレーザ装置。
【請求項２】
光ファイバを組み込んだプローブを接続して使用するレーザ装置において、前記プローブが接続される接続部と、前記接続部から離れる方向で前記接続部からの距離が異なる位置に設けられ前記プローブが接続されたことを検出する複数の検出部と、前記検出部からの信号に基づいて接続されたプローブの種類を識別する識別部とを有するレーザ装置。
【請求項３】
光ファイバを組み込んだプローブを接続して使用するレーザ装置において、前記プローブが接続される接続部と、前記接続部の端から前記プローブの接続方向に対して距離が異なる位置に設けられ前記プローブが接続されたことを検出する複数の検出部と、前記検出部からの信号に基づいて接続されたプローブの種類を識別する識別部とを有するレーザ装置。
【請求項４】
光ファイバを組み込んだプローブを接続して使用するレーザ装置において、前記プローブが接続される接続部と、前記接続部から離れる方向で前記接続部からの距離が異なる位置および前記接続部の前記プローブが接続される側の端から前記プローブの接続方向に距離が異なる位置に設けられ前記プローブが接続されたことを検出する複数の検出部と、前記検出部からの信号に基づいて接続されたプローブの種類を識別する識別部とを有するレーザ装置。
【請求項５】
光ファイバを組み込んだプローブを接続して使用するレーザ装置において、前記プローブが接続される接続部と、前記プローブが接続されたことを検出する検出部と、前記プローブに設けられた識別情報を読み取る情報読取部と、前記情報読取部の読取結果に基づいて接続されたプローブの種類を識別する識別部を有するレーザ装置。
【請求項６】
識別情報が光学情報であり、情報読取部が光学情報読取装置である請求項５記載のレーザ装置。
【請求項７】
情報を表示する表示部を有し、前記表示部に識別部の識別結果を表示する請求項１から６のいずれかに記載のレーザ装置。
【請求項８】
情報を表示する表示部を有し、前記表示部に識別部の識別結果に基づいて識別されたプローブに適したレーザの出力情報を表示する請求項１から７のいずれかに記載のレーザ装置。
【発明の詳細な説明】
【０００１】
【発明の属する技術分野】
本発明は、レーザ装置に取り付けられたプローブの種類の識別に関するものである。
【０００２】
【従来の技術】
図９に示すように、従来のレーザ装置は、プローブ３２がレーザ装置の接続部３０に挿入されたことを接続部３０の内部に設けられたリミットスイッチ３１で検出し、その信号をＣＰＵ３３に送っていた。
【０００３】
この動作としては、レーザ装置に接続されたプローブ３２がレーザ装置の接続部３０の内側面に取付けられたリミットスイッチ３１を押すことでスイッチが入り、その信号がＣＰＵ３３に入力されることで挿入されたことを検出するようになっている。そして、プローブ３２がレーザ装置に装着されたことを検出することでレーザ装置が使用できる状態になる。
【０００４】
また、図１０に示すように、プローブ３２の接続検出手段であり挿入検知用のリミットスイッチ３４と、プローブを固定する固定ねじの締め付け位置を検知するロック検知用のリミットスイッチ３５を設けることにより、接続部３０に挿入されたことを検出するだけではなく、充分にロックされたか否かを検出することができるものが知られている。（例えば特許文献１参照）。
【０００５】
【特許文献１】
特開平４−１６１１４９号公報
【０００６】
【発明が解決しようとする課題】
しかしながら、上記従来の構成では、接続されるプローブが複数種類ある場合にその種類を認識することができなかった。また、プローブの種類によって透過率が異なる場合には、取り付けたプローブによってレーザ装置の出力表示と実出力が異なる場合が生じていた。ここで、プローブの種類とは、プローブに組み込まれている光ファイバの径やＮＡ（Ｎｕｍｅｒｉｃａｌ  Ａｐｅｒｔｕｒｅ）の違いを意味する。また、透過率とは、この光ファイバに入射するレーザ光と光ファイバの種類との関係によりほぼ決まるものである。例えば、光ファイバに入射するレーザ光が一定の場合において、光ファイバの径がレーザ光の絞り径より小さい場合は、光ファイバの径がレーザ光の絞り径より大きい場合に比べると、光ファイバの出力が小さくなる。
【０００７】
このように、レーザ装置に接続されるプローブの種類が異なると場合、レーザ装置に出力表示として表示される本来の出力と実際の出力とが異なってしまう。
【０００８】
この対策としては、取り付けられたプローブの種類を認識する必要がある。
【０００９】
本発明は、上記従来の課題に鑑み、挿入されたプローブの種類を識別できるレーザ装置を提供することを目的とする。
【００１０】
【課題を解決するための手段】
上記目的を達成するために、本発明のレーザ装置は、光ファイバを組み込んだプローブが接続されたことを検出する検出部と、接続された前記プローブの種類を識別する識別部を有するものである。
【００１１】
また、本願発明のレーザ装置は、接続部から離れる方向で接続部からの距離が異なる位置に複数個の検出部を備えたものである。
【００１２】
また、本願発明のレーザ装置は、接続部のプローブが接続される側の端からプローブの接続方向に距離が異なる位置に複数個の検出部を備えたものである。
【００１３】
また、本願発明のレーザ装置は、情報を表示するための表示部を有し、この表示部に識別部による識別結果や接続されるプローブに適したレーザの出力情報を表示するものである。
【００１４】
【発明の実施の形態】
（実施の形態１）
以下、本発明の実施の形態について、図１から図３を用いて説明する。
【００１５】
図１は、本実施の形態のレーザ装置の概略を示すブロック図である。図１において、１はプローブを挿入する略円筒形状をした接続部で、レーザ装置の表面に対して略直交するように設けられ、この接続部１には外周にねじが設けられておりプローブに設けられている固定ねじと噛み合うことでプローブを固定するものである。また、２および３はレーザ装置のケースに設けられたリミットスイッチであり、接続部１の外周方向で接続部１から各々異なる距離となる位置に設けられ、リミットスイッチ２の方がリミットスイッチ３より接続部１に近い位置に設けられている。４はリミットスイッチ２および３から信号を受け取り、この信号と、記憶装置５に記憶されリミットスイッチ２および３の出力とプローブの種類との関係を記したデータテーブルとに基づいて接続されたプローブの種類を識別するＣＰＵである。６はＣＰＵ４で識別したプローブの種類やそのプローブによるレーザ出力あるいはそのプローブに適したレーザ発振部（図示せず）の出力条件などを表示する表示部である。
【００１６】
以下実際の動作について、図２と図３に示すように、外径が小さい固定ねじ７を備えたプローブ８と、外径が大きい固定ねじ９を備えたプローブ１０を識別する場合について説明する。
【００１７】
なお、プローブ８とプローブ１０とは組み込まれた光ファイバの径が異なり、同じレーザ入力でも出力特性が異なるもので、固定ねじの外径を互いに異なる寸法としてある。
【００１８】
また、本実施の形態において、記憶装置５に記憶されているデータテーブルは、リミットスイッチ２のみがＯＮの場合は外径が小さい固定ねじ７を備えたプローブ８が接続されていると識別し、リミットスイッチ２と３の両方がＯＮの場合は外径が大きい固定ねじ９を備えたプローブ１０が接続されていると識別するという識別情報を備えている。
【００１９】
図２に示すように、外径が小さい固定ねじ７を備えたプローブ８が接続された場合、固定ねじ７がリミットスイッチ２を押すことでリミットスイッチ２がＯＮであるという信号がＣＰＵ４に入力される。一方、図３に示すように、外径が大きい固定ねじ９を備えたプローブ１０が接続された場合、固定ねじ９がリミットスイッチ２と３の両方を押すことでリミットスイッチ２および３がＯＮであるという信号がＣＰＵ４に入力される。ＣＰＵ４は、リミットスイッチ２および３から受け取った信号と、記憶装置５に記憶されリミットスイッチ２および３の出力とプローブの種類との関係を記したデータテーブルとに基づいて、リミットスイッチ２のみがＯＮの場合はプローブ８が接続されていると識別し、リミットスイッチ２と３がＯＮの場合はプローブ１０が接続されていると識別する。すなわち、リミットスイッチがＯＮになった数に基づいてプローブの種類が識別できる。そして、プローブの種類やそのプローブによるレーザ出力あるいはそのプローブに適したレーザ発振部（図示せず）の出力条件等を表示部６に表示する。
【００２０】
なお、リミットスイッチ２がＯＮであるという信号は、プローブが接続されたことを認識するための信号としても利用できる。
【００２１】
また、リミットスイッチの代わりに圧電素子のような感圧センサーやフォトセンサーなどを用いても良いし、これらを任意に組み合わせて使用しても良い。
【００２２】
（実施の形態２）
以下、本発明の他の実施の形態について、図４から図６を用いて説明する。
【００２３】
図４は、本実施の形態のレーザ装置の概略を示すブロック図である。図４において、１はプローブを挿入する略円筒形状をした接続部で、レーザ装置の表面に対して略直交するように設けられ、この接続部１には外周にねじが設けられておりプローブに設けられている固定ねじと噛み合うことでプローブを固定するものである。また、１１および１２はレーザ装置内に設けられたリミットスイッチであり、接続部１の長手方向に接続部１のプローブに接続される側の先端から各々異なる距離となる位置に設けられ、リミットスイッチ１１の方がリミットスイッチ１２より前記先端側に近い位置に設けられている。４はリミットスイッチ１１および１２から信号を受け取り、リミットスイッチ１１および１２から受け取った信号と、記憶装置５に記憶されリミットスイッチ１１および１２の出力とプローブの種類との関係を記したデータテーブルとに基づいて接続されたプローブの種類を識別するＣＰＵである。６はＣＰＵ４で識別したプローブの種類やそのプローブによるレーザ出力あるいはそのプローブに適したレーザ発振部（図示せず）の出力条件などを表示する表示部である。
【００２４】
以下実際の動作について、図５と図６に示すように、接続部１に挿入する部分の長さが短いプローブ挿入部１３を備えたプローブ１４と、接続部１に挿入する部分の長さが長いプローブ挿入部１５を備えたプローブ１６を識別する場合について説明する。
【００２５】
なお、プローブ１４とプローブ１６とは組み込まれた光ファイバの径が異なり、同じレーザ入力でも出力特性が異なるもので、接続部１に挿入するプローブ挿入部の長さを異なる寸法としたものである。
【００２６】
また、本実施の形態において、記憶装置５に記憶されているデータテーブルは、リミットスイッチ１１のみがＯＮの場合は挿入する部分の長さが短いプローブ挿入部１３を備えたプローブ１４が接続されていると識別し、リミットスイッチ１１と１２の両方がＯＮの場合は挿入する部分の長さが長いプローブ挿入部１５を備えたプローブ１６が接続されていると識別するという識別情報を備えたものである。
【００２７】
図５に示すように、挿入する部分の長さが短いプローブ挿入部１３を備えたプローブ１４が接続された場合、プローブ挿入部１３がリミットスイッチ１１を押すことで、リミットスイッチ１１がＯＮであるという信号がＣＰＵ４に入力される。一方、図６に示すように、挿入する部分の長さが長いプローブ挿入部１５を備えたプローブ１６が接続された場合、プローブ挿入部１５がリミットスイッチ１１と１２の両方を押すことで、リミットスイッチ１１および１２がＯＮであるという信号がＣＰＵ４に入力される。ＣＰＵ４は、リミットスイッチ１１および１２から受け取った信号と、記憶装置５に記憶されリミットスイッチ１１および１２の出力とプローブの種類との関係を記したデータテーブルとに基づいて、リミットスイッチ１１のみがＯＮの場合はプローブ１４が接続されていると識別し、リミットスイッチ１１と１２がＯＮの場合はプローブ１４とは特性が異なるプローブ１６が接続されていると識別する。そして、プローブの種類やそのプローブによるレーザ出力あるいはそのプローブに適したレーザ発振部（図示せず）の出力条件等を表示部６に表示する。
【００２８】
なお、リミットスイッチ１１がＯＮであるという信号は、プローブが接続されたことを認識するための信号としても利用できる。
【００２９】
また、リミットスイッチの代わりに圧電素子のような感圧センサーやフォトセンサーなどを用いても良いし、これらを任意に組み合わせて使用しても良い。
【００３０】
（実施の形態３）
以下本発明の他の実施の形態のレーザ装置について、図７を用いて説明する。
【００３１】
なお、実施の形態１および２と同様の箇所については同一の符号を付して詳細な説明を省略する。実施の形態１および２と異なるのは、実施の形態１で示した、接続部１の外周方向で接続部１から各々異なる距離となる位置と、実施の形態２で示した、接続部１の長手方向に設けられ、接続部１のプローブに接続される側の端からプローブの挿入方向に各々異なる距離となる位置の両方の位置にリミットスイッチ２、３、１１、１２を設けた点である。但し、リミットスイッチ２、３、１１、１２の取り付けられる位置は実施の形態１および２と同様の位置である。また、これに伴い、記憶装置５に記憶されリミットスイッチの出力とプローブの種類との関係を記すデータテーブルは、これら４つのリミットスイッチのＯＮ状態とプローブの種類との関係を示したものとなっている。
【００３２】
図７において、本実施の形態のレーザ装置は、接続部１の外周方向および長手方向の異なる位置にリミットスイッチ２、３、１１、１２が設けられており、プローブ挿入部の長さと固定ねじの外径の大きさとの組み合わせによりＣＰＵ４に入力されるリミットスイッチの信号が異なり、ＣＰＵ４はこのリミットスイッチの信号と記憶装置５に記憶されているデータテーブルに基づいて接続されたプローブを識別する。そして、プローブの種類やそのプローブによるレーザ出力あるいはそのプローブに適したレーザ発振部（図示せず）の出力条件等を表示部６に表示する。
【００３３】
なお、実施の形態１および２に示すようにリミットスイッチを２つ設ける場合は２種類のプローブの識別が可能であるが、本実施の形態に示す位置にリミットスイッチを４つ設けることで、実施の形態１および２と同等のリミットスイッチの取り付け面積で８種類のプローブの識別が可能となる。
【００３４】
なお、リミットスイッチの代わりに圧電素子のような感圧センサーやフォトセンサーなどを用いても良いし、これらを任意に組み合わせて使用しても良い。
【００３５】
（実施の形態４）
以下本発明の他の実施の形態のレーザ装置について、図８を用いて説明する。
【００３６】
なお、実施の形態１から３と同様の箇所については同一の符号を付して詳細な説明を省略する。実施の形態１から３と異なるのは、プローブ挿入部１５に取り付けられたバーコード１７を読み取り可能な位置にバーコードリーダ１８を設けている点である。そして、このバーコードリーダ１８で読み取ったバーコード１７の情報をＣＰＵ４に入力することでプローブの種類を識別するようにしている。また、記憶装置５に記憶されているデータテーブルは、バーコード１７の情報とプローブの種類との関係を示したものである。
【００３７】
図８において、本実施の形態のレーザ装置は、接続部１の外周方向の位置にリミットスイッチ２が備えられており、これによりプローブが挿入されたか否かを検知する。そして、プローブ挿入部１５に設けられたバーコード１７をバーコードリーダ１８で読み取り、この読み取った情報をＣＰＵ４に入力する。ＣＰＵ４はこの情報と記憶装置５のデータテーブルに記憶されている情報とから接続されたプローブを識別する。そして、プローブの種類やそのプローブによるレーザ出力あるいはそのプローブに適したレーザ発振部（図示せず）の出力条件等を表示部６に表示する。
【００３８】
なお、バーコードリーダ１８がプローブに設けられたバーコード１７を読み取りできたか否かによりプローブの挿入を検知するようにしてもよい。
【００３９】
また、本実施の形態ではプローブ挿入部１５にバーコード１７を設けたが、固定ねじやプローブ本体等に取り付けても良く、これにあわせて、バーコードリーダ１８はバーコード１７を読取可能な位置に取り付ければよい。
【００４０】
また、プローブに設ける識別情報として２次元コードや非接触タグ等を用いても良く、情報読取部として２次元コードリーダや非接触タグリーダ等を用いても良い。
【００４１】
【発明の効果】
以上のように、本発明によれば、接続されたプローブの種類を識別することができる。
【図面の簡単な説明】
【図１】本発明の実施形態１におけるレーザ装置の概要を示すブロック図
【図２】本発明の実施形態１におけるプローブが接続されたレーザ装置の概要を示すブロック図
【図３】本発明の実施形態１におけるプローブが接続されたレーザ装置の概要を示すブロック図
【図４】本発明の実施形態２におけるレーザ装置の概要を示すブロック図
【図５】本発明の実施形態２におけるプローブが接続されたレーザ装置の概要を示すブロック図
【図６】本発明の実施形態２におけるプローブが接続されたレーザ装置の概要を示すブロック図
【図７】本発明の実施形態３におけるプローブが接続されたレーザ装置の概要を示すブロック図
【図８】本発明の実施形態４におけるプローブが接続されたレーザ装置の概要を示すブロック図
【図９】従来のレーザ装置の概要を示すブロック図
【図１０】従来のレーザ装置の概要を示すブロック図
【符号の説明】
１  接続部
２、３、１１、１２  リミットスイッチ
４  ＣＰＵ
５  記憶装置
６  表示部
７、９  固定ねじ
８、１０、１４、１６  プローブ
１３、１５  プローブ挿入部
１７  バーコード
１８  バーコードリーダ
３０  接続部
３１、３４、３５  リミットスイッチ
３２  プローブ
３３  ＣＰＵ
【図１】
2004275270.tif 000003
【図２】
2004275270.tif 000004
【図３】
2004275270.tif 000005
【図４】
2004275270.tif 000006
【図５】
2004275270.tif 000007
【図６】
2004275270.tif 000008
【図７】
2004275270.tif 000009
【図８】
2004275270.tif 000010
【図９】
2004275270.tif 000011
【図１０】
2004275270.tif 000012